(57)【要約】【課題】  営業を行うことができない地域からの口座の申込みを、受け付けないようにすることが可能な口座申込方法およびシステムを提供する。【解決手段】  携帯型端末１０が、申込者の住所を含む地域を特定する情報として郵便番号を取得し、郵便番号を受付サーバ２０に送信し、受付サーバ２０が、携帯型端末１０から受信した郵便番号を用いて、受付サーバ２０が有する記憶手段を参照し、受信した郵便番号が、営業地域内であるか営業地域外であるかを判定し、判定の結果に基づく情報を携帯型端末１０に送信し、携帯型端末１０は、判定の結果に基づく情報として、営業地域外である旨の情報を受信した場合に、営業地域外である旨を提示し、営業地域内である旨の情報を受信した場合に、申込者の指示に基づいて、入力された口座開設に必要な情報を、受付サーバ２０に送信する。【選択図】  図９
2019133721.tif 000002
【特許請求の範囲】
【請求項１】
情報入力可能な携帯型端末と、前記携帯型端末とデータ送受信可能に接続された受付サーバを用いて、口座の申込を行う方法であって、
申込再開する旨の指示がなされた場合に、前記携帯型端末が、口座開設に必要な情報の一部又は全部として保存されている情報を読み出して、対応する画面を表示する段階と、
前記携帯型端末が、申込者の住所を含む地域を特定する情報を取得する段階と、
前記携帯型端末が、前記申込者の住所を含む地域を特定する情報を前記受付サーバに送信する段階と、
前記受付サーバが、前記携帯型端末から受信した前記地域を特定する情報を用いて、前記受付サーバが有する記憶手段を参照し、前記地域を特定する情報が、営業地域内であるか営業地域外であるかを判定する段階と、
前記受付サーバが、前記判定の結果に基づく情報を前記携帯型端末に送信する段階と、
前記携帯型端末が、途中保存する旨のボタンを表示し、当該ボタンに対する指示がなされた場合に、前記携帯型端末が、入力された情報を口座開設に必要な情報の一部又は全部として保存し、口座申込処理を中断する段階と、
を有し、
前記携帯型端末は、前記判定の結果に基づく情報として、営業地域外である旨の情報を受信した場合に、営業地域外である旨を提示し、営業地域内である旨の情報を受信した場合に、申込者の指示に基づいて、入力された口座開設に必要な情報を、前記受付サーバに送信することを特徴とする口座申込方法。
【請求項２】
前記受付サーバが有する記憶手段は、営業地域内の郵便番号を記憶しており、前記申込者の住所を含む地域を特定する情報として郵便番号を用い、前記営業地域内であるか営業地域外であるかを判定する段階は、営業地域内の郵便番号と前記申込者の住所を含む地域を特定する情報としての郵便番号が一致するか否かにより行うことを特徴とする請求項１に記載の口座申込方法。
【請求項３】
前記携帯型端末が、本人確認媒体用の枠線と、当該本人確認媒体用の枠線よりも、枠線により囲まれる面積が小さい印影用の枠線を表示する段階と、
前記携帯型端末が、前記本人確認媒体用の枠線、前記印影用の枠線が表示された状態で、前記本人確認媒体および前記印影を撮影する段階と、
前記携帯型端末が、前記撮影により取得された撮影画像のうち、前記本人確認媒体用の枠線、前記印影用の枠線にそれぞれ含まれる画像を切り出して本人確認媒体画像、印影画像として取得する段階と、を更に有し、
前記携帯型端末は、前記口座開設に必要な情報の一部として、前記本人確認媒体画像、前記印影画像を送信することを特徴とする請求項１または請求項２に記載の口座申込方法。
【請求項４】
情報入力可能な携帯型端末と、前記携帯型端末とデータ送受信可能に接続された受付サーバを用いて、口座の申込を行うシステムであって、
前記携帯型端末が、
申込再開する旨の指示がなされた場合に、口座開設に必要な情報の一部又は全部として保存されている情報を読み出して、対応する画面を表示する手段と、
申込者の住所を含む地域を特定する情報を取得する手段と、
前記申込者の住所を含む地域を特定する情報を前記受付サーバに送信する手段と、
前記受付サーバによる判定の結果に基づく情報として、営業地域外である旨の情報を受信した場合に、営業地域外である旨を提示し、営業地域内である旨の情報を受信した場合に、申込者の指示に基づいて、入力された口座開設に必要な情報を、前記受付サーバに送信する手段と、
前記携帯型端末が、途中保存する旨のボタンを表示し、当該ボタンに対する指示がなされた場合に、前記携帯型端末が、入力された情報を口座開設に必要な情報の一部又は全部として保存し、口座申込処理を中断する段階と、
を有し、
前記受付サーバが、
営業地域内を示す地域を特定する情報が記憶された記憶手段と、
前記携帯型端末から受信した前記地域を特定する情報を用いて、前記記憶手段を参照し、前記地域を特定する情報が、営業地域内であるか営業地域外であるかを判定する手段と、
前記判定の結果に基づく情報を前記携帯型端末に送信する手段と、
を有することを特徴とする口座申込システム。
【請求項５】
前記受付サーバが有する記憶手段は、営業地域内の郵便番号を記憶しており、前記申込者の住所を含む地域を特定する情報として郵便番号を用い、前記営業地域内であるか営業地域外であるかを判定する手段は、営業地域内の郵便番号と前記申込者の住所を含む地域を特定する情報としての郵便番号が一致するか否かにより行うことを特徴とする請求項４に記載の口座申込システム。
【請求項６】
前記携帯型端末が、
本人確認媒体用の枠線と、当該本人確認媒体用の枠線よりも、枠線により囲まれる面積が小さい印影用の枠線を表示する手段と、
前記本人確認媒体用の枠線、前記印影用の枠線が表示された状態で、前記本人確認媒体および前記印影を撮影する手段と、
前記撮影により取得された撮影画像のうち、前記本人確認媒体用の枠線、前記印影用の枠線にそれぞれ含まれる画像を切り出して本人確認媒体画像、印影画像として取得する手段と、
前記口座開設に必要な情報の一部として、前記本人確認媒体画像、前記印影画像を送信する手段と、
を更に有することを特徴とする請求項４または請求項５に記載の口座申込システム。
【発明の詳細な説明】
【技術分野】
【０００１】
本発明は、銀行口座等の口座の開設の申込みを行うための技術に関する。
【背景技術】
【０００２】
従来、銀行等の金融機関において口座を開設する際には、窓口へ出向いて本人確認を行うとともに、書類に記入する等の手続が行われていた。近年では、コンピュータおよび通信ネットワーク技術の発展に伴い、携帯型端末を用いて口座の開設を行うことができるようになってきている（特許文献１参照）。
【先行技術文献】
【特許文献】
【０００３】
【特許文献１】特開２０１４−２１７６５号公報
【発明の概要】
【発明が解決しようとする課題】
【０００４】
銀行業務においては、営業を行う範囲が特定されており、特に、地方銀行においては、限定された地域（エリア）で営業が行われていることが多い。この場合、ネットワークを介して口座開設の申込みが行われ、銀行側のコンピュータにおいて、その受け付けが適正に行われたとしても、営業地域から外れている場合には、別途申込者に対して、口座が開設できない旨を説明しなければならないという問題がある。
【０００５】
そこで、本発明は、営業を行うことができない地域（エリア）からの口座の申込みを、受け付けないようにすることが可能な口座申込方法およびシステムを提供することを課題とする。
【課題を解決するための手段】
【０００６】
上記課題を解決するため、本発明第１の態様では、
情報入力可能な携帯型端末と、前記携帯型端末とデータ送受信可能に接続された受付サーバを用いて、口座の申込を行う方法であって、
前記携帯型端末が、申込者の住所を含む地域を特定する情報を取得する段階と、
前記携帯型端末が、前記申込者の住所を含む地域を特定する情報を前記受付サーバに送信する段階と、
前記受付サーバが、前記携帯型端末から受信した前記地域を特定する情報を用いて、前記受付サーバが有する記憶手段を参照し、前記地域を特定する情報が、営業地域内であるか営業地域外であるかを判定する段階と、
前記受付サーバが、前記判定の結果に基づく情報を前記携帯型端末に送信する段階と、を有し、
前記携帯型端末は、前記判定の結果に基づく情報として、営業地域外である旨の情報を受信した場合に、営業地域外である旨を提示し、営業地域内である旨の情報を受信した場合に、申込者の指示に基づいて、入力された口座開設に必要な情報を、前記受付サーバに送信することを特徴とする口座申込方法を提供する。
【０００７】
本発明第１の態様によれば、携帯型端末が、申込者の住所を含む地域を特定する情報を取得し、地域を特定する情報を用いて、受付サーバが備える記憶手段を参照し、地域を特定する情報が、営業地域内であるか営業地域外であるかを判定し、携帯型端末は、営業地域外であると判定された場合に、営業地域外である旨を提示し、営業地域内であると判定された場合に、入力された口座開設に必要な情報を、受付サーバに送信するようにしたの
で、営業を行うことができない地域からの口座の申込みを、受け付けないようにすることが可能となる。
【０００８】
また、本発明第２の態様は、前記口座申込方法において、前記受付サーバが有する記憶手段は、営業地域内の郵便番号を記憶しており、前記申込者の住所を含む地域を特定する情報として郵便番号を用い、前記営業地域内であるか営業地域外であるかを判定する段階は、営業地域内の郵便番号と前記申込者の住所を含む地域を特定する情報としての郵便番号が一致するか否かにより行うことを特徴とする。
【０００９】
本発明第２の態様によれば、受付サーバが有する記憶手段が、営業地域内の郵便番号を記憶しており、申込者の住所を含む地域を特定する情報として郵便番号を用い、営業地域内の郵便番号と申込者の住所を含む地域を特定する情報としての郵便番号が一致するか否かにより、営業地域内であるか営業地域外であるかを判定するようにしたので、迅速に営業地域内であるか営業地域外であるかの判定を行うことが可能となる。
【００１０】
また、本発明第３の態様は、前記口座申込方法において、
前記携帯型端末が、本人確認媒体用の枠線と、当該本人確認媒体用の枠線よりも、枠線により囲まれる面積が小さい印影用の枠線を表示する段階と、
前記携帯型端末が、前記本人確認媒体用の枠線、前記印影用の枠線が表示された状態で、前記本人確認媒体および前記印影を撮影する段階と、
前記携帯型端末が、前記撮影により取得された撮影画像のうち、前記本人確認媒体用の枠線、前記印影用の枠線にそれぞれ含まれる画像を切り出して本人確認媒体画像、印影画像として取得する段階と、を更に有し、
前記携帯型端末は、前記口座開設に必要な情報の一部として、前記本人確認媒体画像、前記印影画像を送信することを特徴とする。
【００１１】
本発明第３の態様によれば、携帯型端末が、本人確認媒体用の枠線と、本人確認媒体用の枠線よりも、枠線により囲まれる面積が小さい印影用の枠線を表示し、本人確認媒体用の枠線、印影用の枠線が表示された状態で撮影し、撮影により取得された撮影画像のうち、本人確認媒体用の枠線、印影用の枠線にそれぞれ含まれる本人確認媒体画像、印影画像を抽出し、口座開設に必要な情報の１つとして、本人確認媒体画像、印影画像を送信するようにしたので、本人確認用の情報を効率的かつ確実に取得することが可能となる。
【００１２】
また、本発明第４の態様では、
情報入力可能な携帯型端末と、前記携帯型端末とデータ送受信可能に接続された受付サーバを用いて、口座の申込を行うシステムであって、
前記携帯型端末が、
申込者の住所を含む地域を特定する情報を取得する手段と、
前記申込者の住所を含む地域を特定する情報を前記受付サーバに送信する手段と、
前記受付サーバによる判定の結果に基づく情報として、営業地域外である旨の情報を受信した場合に、営業地域外である旨を提示し、営業地域内である旨の情報を受信した場合に、申込者の指示に基づいて、入力された口座開設に必要な情報を、前記受付サーバに送信する手段と、を有し、
前記受付サーバが、
営業地域内を示す地域を特定する情報が記憶された記憶手段と、
前記携帯型端末から受信した前記地域を特定する情報を用いて、前記記憶手段を参照し、前記地域を特定する情報が、営業地域内であるか営業地域外であるかを判定する手段と、
前記判定の結果に基づく情報を前記携帯型端末に送信する手段と、
を有することを特徴とする口座申込システムを提供する。
【００１３】
本発明第４の態様によれば、本発明第１の態様の口座申込方法をシステムにより実現することが可能となる。
【００１４】
また、本発明第５の態様は、前記口座申込システムにおいて、前記受付サーバが有する記憶手段は、営業地域内の郵便番号を記憶しており、前記申込者の住所を含む地域を特定する情報として郵便番号を用い、前記営業地域内であるか営業地域外であるかを判定する手段は、営業地域内の郵便番号と前記申込者の住所を含む地域を特定する情報としての郵便番号が一致するか否かにより行うことを特徴とする。
【００１５】
本発明第５の態様によれば、本発明第２の態様の口座申込方法をシステムにより実現することが可能となる。
【００１６】
また、本発明第６の態様は、
前記携帯型端末が、
本人確認媒体用の枠線と、当該本人確認媒体用の枠線よりも、枠線により囲まれる面積が小さい印影用の枠線を表示する手段と、
前記本人確認媒体用の枠線、前記印影用の枠線が表示された状態で、前記本人確認媒体および前記印影を撮影する手段と、
前記撮影により取得された撮影画像のうち、前記本人確認媒体用の枠線、前記印影用の枠線にそれぞれ含まれる画像を切り出して本人確認媒体画像、印影画像として取得する手段と、
前記口座開設に必要な情報の一部として、前記本人確認媒体画像、前記印影画像を送信する手段と、
を更に有することを特徴とする。
【００１７】
本発明第６の態様によれば、本発明第３の態様の口座申込方法をシステムにより実現することが可能となる。
【００１８】
また、本発明第７の態様では、
口座の申込を行うため、口座開設に必要な情報を登録する受付サーバデータとデータ送受信可能に接続された携帯型端末であって、
申込者の住所を含む地域を特定する情報を取得する手段と、
前記申込者の住所を含む地域を特定する情報を前記受付サーバに送信する手段と、
前記受付サーバによる判定の結果に基づく情報として、営業地域外である旨の情報を受信した場合に、営業地域外である旨を提示し、営業地域内である旨の情報を受信した場合に、申込者の指示に基づいて、入力された口座開設に必要な情報を、前記受付サーバに送信する手段と、
を有することを特徴とする携帯型端末を提供する。
【００１９】
本発明第７の態様によれば、受付サーバと連携して、本発明第４の態様の口座申込システムを実現することが可能となる。
【００２０】
また、本発明第８の態様は、前記携帯型端末に接続された受付サーバが、営業地域内の郵便番号を記憶しており、前記申込者の住所を含む地域を特定する情報として郵便番号を用い、営業地域内の郵便番号と前記申込者の住所を含む地域を特定する情報としての郵便番号が一致するか否かにより、営業地域内であるか営業地域外であるかを判定することを特徴とする。
【００２１】
本発明第８の態様によれば、受付サーバと連携して、本発明第５の態様の口座申込システムを実現することが可能となる。
【００２２】
また、本発明第９の態様は、
前記携帯型端末が、
本人確認媒体用の枠線と、当該本人確認媒体用の枠線よりも、枠線により囲まれる面積が小さい印影用の枠線を表示する手段と、
前記本人確認媒体用の枠線、前記印影用の枠線が表示された状態で、前記本人確認媒体および前記印影を撮影する手段と、
前記撮影により取得された撮影画像のうち、前記本人確認媒体用の枠線、前記印影用の枠線にそれぞれ含まれる画像を切り出して本人確認媒体画像、印影画像として取得する手段と、
前記口座開設に必要な情報の一部として、前記本人確認媒体画像、前記印影画像を送信する手段と、
を更に有することを特徴とする。
【００２３】
本発明第９の態様によれば、受付サーバと連携して、本発明第６の態様の口座申込システムを実現することが可能となる。
【００２４】
また、本発明第１０の態様では、
口座の申込を行うため、口座開設に必要な情報を入力する携帯型端末とデータ送受信可能に接続された受付サーバであって、
営業地域内を示す地域を特定する情報が記憶された記憶手段と、
前記携帯型端末から受信した前記地域を特定する情報を用いて、前記記憶手段を参照し、前記地域を特定する情報が、営業地域内であるか営業地域外であるかを判定する手段と、
前記判定の結果に基づく情報を前記携帯型端末に送信する手段と、
前記携帯型端末から受信した口座開設に必要な情報を登録する手段と、
を有することを特徴とする受付サーバを提供する。
【００２５】
本発明第１０の態様によれば、携帯型端末と連携して、本発明第４の態様の口座申込システムを実現することが可能となる。
【００２６】
また、本発明第１１の態様は、前記記憶手段は、営業地域内の郵便番号を記憶しており、前記申込者の住所を含む地域を特定する情報として郵便番号を用い、前記地域を特定する情報が、営業地域内であるか営業地域外であるかを判定する手段は、営業地域内の郵便番号と前記申込者の住所を含む地域を特定する情報としての郵便番号が一致するか否かにより、営業地域内であるか営業地域外であるかを判定することを特徴とする。
【００２７】
本発明第１１の態様によれば、携帯型端末と連携して、本発明第５の態様の口座申込システムを実現することが可能となる。
【００２８】
また、本発明第１２の態様では、前記携帯型端末として、コンピュータを機能させるためのプログラムを提供する。
【００２９】
本発明第１２の態様によれば、プログラムを組み込むことにより、口座申込システムを実現するための携帯型端末を実現することが可能となる。
【００３０】
また、本発明第１３の態様では、前記受付サーバとして、コンピュータを機能させるためのプログラムを提供する。
【００３１】
本発明第１３の態様によれば、プログラムを組み込むことにより、口座申込システムを実現するための受付サーバを実現することが可能となる。
【発明の効果】
【００３２】
本発明によれば、営業を行うことができない地域からの口座の申込みを、受け付けないようにすることが可能となるという効果を有する。
【図面の簡単な説明】
【００３３】
【図１】本発明の一実施形態に係る口座申込システムの利用環境を示す図である。
【図２】携帯型端末１０のハードウェア構成を示す図である。
【図３】受付サーバ２０のハードウェア構成を示す図である。
【図４】本発明の一実施形態に係る口座申込方法の概要を示すフローチャートである。
【図５】ステップＳ１、Ｓ２における携帯型端末の画面の様子を示す図である。
【図６】ステップＳ３、Ｓ４における携帯型端末の画面の様子を示す図である。
【図７】ステップＳ５、Ｓ８における携帯型端末の画面の様子を示す図である。
【図８】ステップＳ９、Ｓ１０における携帯型端末の画面の様子を示す図である。
【図９】ステップＳ１１における携帯型端末の画面の様子を示す図である。
【図１０】ステップＳ１２、Ｓ１３における携帯型端末の画面の様子を示す図である。
【図１１】変形例における携帯型端末の画面の様子を示す図である。
【発明を実施するための形態】
【００３４】
＜１．システム構成＞
以下、本発明の好適な実施形態について図面を参照して詳細に説明する。図１は、本発明の一実施形態に係る口座申込システムの利用環境を示す図である。図１において、１０は携帯型端末、２０は受付サーバ、３０はネットワークである。携帯型端末１０、受付サーバ２０はインターネット等の公衆のネットワーク３０に接続されており、互いにデータの送受信が可能となっている。口座申込システムは、少なくとも携帯型端末１０、受付サーバ２０を有するものとして構成される。口座申込システムにより得られた口座開設に必要な情報は、受付サーバ２０に登録される。
【００３５】
携帯型端末１０は、スマートフォン、タブレット端末等の情報処理機能、ネットワーク通信機能、表示機能を備えた携帯可能な端末装置であり、入力された地域を特定する情報を受付サーバ２０に送信し、営業地域（営業を行っている地域：営業エリア）内である判定を得た場合に、口座開設に必要な情報を取得して、受付サーバ２０に送信する。受付サーバ２０は、携帯型端末１０から受信した地域を特定する情報が、営業地域内であるか営業地域外であるかを判定して結果を返信し、口座開設に必要な情報を受信した場合に、その登録を行う。
【００３６】
携帯型端末１０は、上述のように、スマートフォン、タブレット端末等により実現可能であるが、本実施形態では、多機能型携帯電話機であるスマートフォンに、「アプリ」と呼ばれる専用のプログラムを組み込むことにより実現する。スマートフォンは、多機能型携帯電話機であるが、タッチパネルで画面を操作して制御可能なコンピュータとしての機能も有している。
【００３７】
図２は、携帯型端末１０のハードウェア構成図である。図２に示すように、携帯型端末１０は、ＣＰＵ（Central Processing Unit）１０ａと、メインメモリであるＲＡＭ（Random Access Memory）１０ｂと、ＣＰＵ１０ａが実行するプログラムやデータを記憶する
ためのハードディスク、フラッシュメモリ等の大容量の記憶装置１０ｃと、キーボードやタッチパネル等の指示入力部１０ｄと、データ記憶媒体等の外部装置とデータ通信するためのデータ入出力Ｉ／Ｆ（インタフェース）１０ｅと、液晶ディスプレイや有機ＥＬディスプレイ等の表示デバイスである表示部１０ｆと、ＲＦ回路（高周波回路）を備え、無線により、携帯電話網およびネットワークを介して他のコンピュータと通信を行うための通信部１０ｇと、ＣＣＤやＣＭＯＳ等の撮像素子を有するカメラ１０ｈを備えており、互いにバスを介して接続されている。現実には、スマートフォンは、図２に示した以外にも、マイクロフォン、スピーカ等を有しているが、本実施形態とは無関係であるため省略している。
【００３８】
図３は、受付サーバ２０のハードウェア構成図である。受付サーバ２０は、汎用のコンピュータに、専用のプログラムを組み込むことにより実現される。通常は、口座を管理する金融機関、または金融機関から委託を受けた業者が管理している。図３に示すように、ＣＰＵ（Central Processing Unit）２０ａと、メインメモリであるＲＡＭ（Random Access Memory）２０ｂと、ＣＰＵ２０ａが実行するプログラムやデータを記憶するためのハ
ードディスク、フラッシュメモリ等の大容量の記憶装置２０ｃと、キーボード等の指示入力部２０ｄと、データ記憶媒体等の外部装置とデータ通信するためのデータ入出力Ｉ／Ｆ（インタフェース）２０ｅと、液晶ディスプレイ等の表示デバイスである表示部２０ｆと、ネットワークを介して他のコンピュータとネットワーク通信を行うための通信部２０ｇを備え、互いにバスを介して接続されている。
【００３９】
記憶装置２０ｃには、口座開設対象の金融機関の営業地域に対応した郵便番号のマスターデータが記憶されている。このマスターデータには、郵便番号と対応付けて住所も記憶されている。また、記憶装置２０ｃには、携帯型端末１０から郵便番号を受信した場合に、その郵便番号でマスターデータを参照して、営業地域内であるか営業地域外であるかを判定するためのプログラムも記憶されている。郵便番号は所定の地域を特定することができるため、地域を特定する情報として利用される。
【００４０】
＜２．処理動作＞
次に、本発明の一実施形態に係る口座申込方法について、図１に示した口座申込システムの処理動作とともに、図４のフローチャートを用いて説明する。本実施形態では、申込対象の口座の一例として、銀行口座を開設する場合について説明していく。
【００４１】
申込者が所持する携帯型端末１０には、口座申込用の専用のアプリケーションプログラムが組み込まれている。専用のアプリケーションプログラムを携帯型端末１０に組み込むためには、例えば、携帯型端末１０としてスマートフォンを用いた場合、ネットワークを介して所定のサーバ（図示省略）にアクセスし、口座申込用のいわゆる「アプリ」として、専用のアプリケーションプログラムをダウンロードする。
【００４２】
口座申込用のアプリケーションプログラムの組み込み後、申込者は、そのアプリケーションプログラムを起動する。すると、携帯型端末１０のＣＰＵ１０ａが表示部１０ｆに、トップ画面を表示させる（ステップＳ１）。トップ画面を表示させる前に、アニメーション等を用いたスプラッシュを表示させてもよい。図５（ａ）は、トップ画面が表示された状態の携帯型端末１０の様子を示す図である。図５（ａ）に示すように、トップ画面には、「口座を開設する」、「申込再開する」の２つのボタンが表示される。申込者は、この２つのボタンをタップして指示することが可能になっている。タップとは、タッチパネルを軽く１回叩くようにして画面に触れる操作を示す。画面に表示されたボタンをタップすることにより、そのボタンに対応する指示を行うことができる。
【００４３】
「申込再開する」のボタンは、申込処理を一時中断している場合に再開するために用いる。「申込再開する」のボタンが申込者によりタップされると、口座開設に必要な情報の一部又は全部として記憶装置１０ｃ内に保存されている情報を読み出して、対応する画面を表示し、申込処理を再開する。「口座を開設する」が申込者によりタップされると、指示入力部１０ｄからボタンの位置を指定した指示が行われたことになり、ＣＰＵ１０ａが表示部１０ｆに、確認事項同意画面を表示させる（ステップＳ２）。
【００４４】
図５（ｂ）に示すように、確認事項同意画面には、画面上部に確認事項の説明が表示される。また、画面最上部には、図５（ａ）に示したトップ画面に戻るための「戻る」ボタンが表示される。最下部には、個人情報保護方針、アプリ取扱規約、非反社会勢力であることの表明・確約内容についてのリンクが容易され、それぞれ右側のアイコンをクリックすると、リンクされた内容を確認可能になっている。その上部には、同意した場合の四角形状のチェックボックスが用意されている。また、図示は省略しているが、画面をスクロールすることにより、「申込む」ボタンが表示される。表示されたチェックボックスをタップすることにより、チェックが入る。チェックボックスにチェックが入った状態で「申込む」のボタンが申込者によりタップされると、ＣＰＵ１０ａが表示部１０ｆに、撮影時注意画面を表示させる（ステップＳ３）。撮影時注意画面の表示は、各種確認事項の同意と引き換えに行われることになる。
【００４５】
このときの、携帯型端末１０の様子を図６（ａ）に示す。撮影時注意画面には、画面上部に撮影時の注意事項についての説明が表示される。また、画面最上部には、図５（ｂ）に示した確認事項同意画面に戻るための「戻る」ボタンが表示される。画面下部には、「次へ」ボタンが表示される。「次へ」ボタンが申込者によりタップされると、ＣＰＵ１０ａがカメラ１０ｈを起動する。すると、表示部１０ｆの画面がカメラ１０ｈのレンズを通した撮影画面に切り替わるとともに、その撮影画面に、運転免許証の位置決めを行うための枠線が表示される（ステップＳ４）。
【００４６】
このときの、携帯型端末１０の様子を図６（ｂ）に示す。図６（ｂ）に示すように、撮影画面に切り替える際、ＣＰＵ１０ａは横長形状の画面形式に切り替えて表示を行う。運転免許証を撮影する場合、横長の方が好適であるためである。図６（ｂ）に示すように、免許証表面撮影画面の画面最上部には、図６（ａ）に示した撮影時注意画面に戻るための「戻る」ボタンが表示される。そして、画面右部には、「撮影」ボタンが表示される。運転免許証の位置決めを行うための枠線は、どのような形態であってもよいが、図６（ｂ）の例では、矩形を構成する４本の破線により形成される。この状態で、申込者が、運転免許証を枠線の位置に合わせて「撮影」ボタンをタップすると、カメラ１０ｈが撮影を行い、撮影画像を取得する。そして、ＣＰＵ１０ａは得られた画像のうち、図６（ｂ）に示した枠線内に対応する部分を切り出して免許証表面画像として取得する。具体的には、免許証表面画像をＲＡＭ１０ｂに一時的に記憶する。
【００４７】
そして、ＣＰＵ１０ａは、取得した免許証表面画像を用いて、表示部１０ｆに、運転免許証表面の撮影結果確認画面を表示させる（ステップＳ５）。このときの、携帯型端末１０の様子を図７（ａ）に示す。撮影結果確認画面には、ほぼ中央に免許証表面画像が表示される。また、画面最上部左側には、図６（ｂ）に示した免許証表面撮影画面に戻るための「戻る」ボタンが表示される。また、画面最上部右側には、「次へ」ボタンが表示される。「次へ」ボタンが申込者によりタップされると、ＣＰＵ１０ａがカメラ１０ｈを起動する。すると、表示部１０ｆの画面がカメラ１０ｈのレンズを通した撮影画面に切り替わるとともに、その撮影画面に、運転免許証の裏面の位置決めを行うための枠線が表示される（ステップＳ６）。
【００４８】
免許証裏面撮影画面は省略するが、図６（ｂ）に示した免許証表面撮影画面と同様、横長形状の画面となり、「戻る」ボタン、「撮影」ボタンが表示される。また、中央部には、運転免許証の位置決めを行うための枠線が表示される。この状態で、申込者が、運転免許証の裏面を枠線の位置に合わせて「撮影」ボタンをタップすると、カメラ１０ｈが撮影を行い、撮影画像を取得する。そして、ＣＰＵ１０ａは得られた画像のうち、枠線内に対応する部分を切り出して免許証裏面画像として取得する。具体的には、免許証裏面画像をＲＡＭ１０ｂに一時的に記憶する。
【００４９】
そして、ＣＰＵ１０ａが表示部１０ｆに、裏面の撮影結果確認画面を表示させる（ステップＳ７）。裏面の撮影結果確認画面は省略するが、図７（ａ）に示した表面の撮影結果確認画面と同様、横長形状の画面となり、画面最上部左側には、裏面の撮影画面に戻るための「戻る」ボタンが表示され、画面最上部右側には、「次へ」ボタンが表示される。「次へ」ボタンが申込者によりタップされると、ＣＰＵ１０ａがカメラ１０ｈを起動する。すると、表示部１０ｆの画面がカメラ１０ｈのレンズを通した印影撮影画面に切り替わるとともに、その印影撮影画面に、印影の位置決めを行うための枠線が表示される（ステップＳ８）。
【００５０】
このときの、携帯型端末１０の様子を図７（ｂ）に示す。図７（ｂ）に示すように、撮影画面の画面最上部には、裏面の撮影結果確認画面に戻るための「戻る」ボタンが表示される。そして、画面右部には、「撮影」ボタンが表示される。印影の位置決めを行うための枠線は、どのような形態であってもよいが、図７（ｂ）の例では、矩形を構成する４本の破線により形成される。この状態で、申込者が、印影を枠線の位置に合わせて「撮影」ボタンをタップすると、カメラ１０ｈが撮影を行い、撮影画像を取得する。そして、ＣＰＵ１０ａは得られた画像のうち、図７（ｂ）に示した枠線内に対応する部分を切り出して印影画像として取得する。具体的には、印影画像をＲＡＭ１０ｂに一時的に記憶する。
【００５１】
印影画像が得られたら、ＣＰＵ１０ａが表示部１０ｆに、印影確認画面を表示させる（ステップＳ９）。このときの、携帯型端末１０の様子を図８（ａ）に示す。図８（ａ）に示すように、印影確認画面に切り替える際、ＣＰＵ１０ａは縦長形状の画面形式に切り替えて表示を行う。印影確認画面には、画面上部に撮影時の注意事項についての説明が表示される。また、画面最上部左側には、図７（ｂ）に示した印影撮影画面に戻るための「戻る」ボタンが表示される。画面最上部右側には、「次へ」ボタンが表示される。
【００５２】
「次へ」ボタンが申込者によりタップされたら、ＣＰＵ１０ａは、ＲＡＭ１０ｂに一時的に記憶している免許証表面画像から「名前」と「生年月日」の読取を行う。具体的には、公知の文字認識アルゴリズムを利用して、「名前」と「生年月日」を読み取る。そして、ＣＰＵ１０ａが表示部１０ｆに、読取結果確認画面を表示させる（ステップＳ１０）。このときの、携帯型端末１０の様子を図８（ｂ）に示す。図８（ｂ）に示すように、読取結果確認画面には、画面上部に確認のための文章が表示され、画面下部に「名前」のチェックボックスと、「生年月日」のチェックボックスが表示される。また、画面最上部左側には、図８（ａ）に示した印影確認画面に戻るための「戻る」ボタンが表示され、画面最上部右側には、「次へ」ボタンが表示される。
【００５３】
図８（ｂ）に示した読取結果確認画面において、「戻る」ボタンが申込者によりタップされると、ステップＳ９に戻って、携帯型端末１０は、印影確認画面を再び表示する。一方、「次へ」ボタンが申込者によりタップされると、ＣＰＵ１０ａが表示部１０ｆに、申込者情報入力画面を表示させる（ステップＳ１１）。
【００５４】
申込者情報入力画面が表示された状態の、携帯型端末１０の様子を図９（ａ）に示す。図９（ａ）に示すように、申込者情報入力画面の画面最上部には、図８（ｂ）に示した読取結果確認画面に戻るための「戻る」ボタンと、これ以前の記憶内容を保存して中断するための「途中保存」ボタンが表示される。「途中保存」ボタンがタップされると、ＣＰＵ１０ａは、ステップＳ１０以前の一時的な記憶内容である、免許証表面画像、免許証裏面画像、印影画像を記憶装置１０ｃ内に記憶（保存）し、口座申込処理を中断する。
【００５５】
申込者情報入力画面では、申込者個人の情報が入力可能になっている。申込者情報入力画面は、スクロールすることにより画面上下方向に移動して多くの情報を入力可能になっている。最下部には、「次へ」ボタンが表示されている。また、図９（ａ）の例では、必須情報である「おところ（住所）」の入力欄が表示された状態を示している。「おところ（住所）」の郵便番号の入力欄には数値が入力可能になっている。また、郵便番号の入力欄の右側には、「住所検索」ボタンが表示されている。
【００５６】
郵便番号の入力欄への入力後、「住所検索」ボタンがタップされると、携帯型端末１０は、入力された郵便番号を、営業地域内であるか否かを判定する営業地域判定依頼とともに受付サーバ２０に送信する。具体的には、ＣＰＵ１０ａが、通信部１０ｇを介して、受付サーバ２０に送信する。
【００５７】
受付サーバ２０は、携帯型端末１０から受信した郵便番号の営業地域判定を行う。具体的には、ＣＰＵ２０ａが営業地域判定用のプログラムを実行し、受信した郵便番号に対応する地域が、口座開設対象の銀行の営業地域であるか否か、すなわち営業地域内であるか営業地域外であるかを判定する。受付サーバ２０では、記憶装置２０ｃ内に営業地域の郵便番号のマスターデータを記憶している。そして、携帯型端末１０から郵便番号を受信すると、ＣＰＵ２０ａが受信した郵便番号でマスターデータを参照し、営業地域の郵便番号と一致する場合には、営業地域内であると判定し、営業地域の郵便番号と一致しない場合には、営業地域外であると判定する。さらに、営業地域内であると判定した場合には、郵便番号に対応する住所も取得する。
【００５８】
携帯型端末１０から受信した郵便番号について営業地域の判定が完了したら、受付サーバ２０は、判定結果に対応する情報を携帯型端末１０に送信する。判定結果が営業地域外であった場合は、営業地域外である旨を示す情報を送信する。携帯型端末１０では、通信部１０ｇが受付サーバ２０から営業地域外である旨を示す情報を受信すると、ＣＰＵ１０ａが表示部１０ｆに営業地域外である旨を示すメッセージを表示させる。このときの、携帯型端末１０の様子を図９（ｂ）に示す。図９（ｂ）においては、営業地域外である旨を示すメッセージとして「ご入力された地域からは申込みできません。」と表示されている。このようにして、営業地域外である旨を示すメッセージを表示することにより、金融機関の営業地域外の申込者が口座の申込を行うことを抑制することができる。
【００５９】
一方、判定結果が営業地域内であった場合は、郵便番号に対応する住所を送信する。携帯型端末１０では、通信部１０ｇが受付サーバ２０から住所を受信すると、ＣＰＵ１０ａが、受信した住所を申込者情報入力画面の入力欄に入力し、表示部１０ｆに表示させる。そして、再び、申込者は申込者情報の入力が可能な状態となる。
【００６０】
申込者は、申込者情報入力画面を利用して、口座開設に必要な情報を入力する。図示は省略するが、名前と生年月日については、免許証表面画像から読み取ったものが入力されている。口座開設に必要な情報を入力した後、「次へ」ボタンが申込者によりタップされると、携帯型端末１０は、入力された申込者情報を取得する。具体的には、入力された申込者情報をＲＡＭ１０ｂに一時的に記憶する。さらに、ＣＰＵ１０ａは、表示部１０ｆに、入力内容確認画面を表示させる（ステップＳ１２）。
【００６１】
入力内容確認画面が表示された状態の、携帯型端末１０の様子を図１０（ａ）に示す。図１０（ａ）に示すように、入力内容確認画面の画面最上部には、図９（ａ）に示した申込者情報入力画面に戻るための「戻る」ボタンと、これ以前の記憶内容を保存して中断するための「途中保存」ボタンが表示される。「途中保存」ボタンがタップされると、ＣＰＵ１０ａは、ステップＳ１０以前の一時的な記憶内容である、免許証表面画像、免許証裏面画像、印影画像、申込者情報を口座開設に必要な情報として記憶装置１０ｃ内に記憶（保存）し、口座申込処理を中断する。
【００６２】
入力内容確認画面では、申込者が入力した申込者情報が全て表示されている。入力内容確認画面は、スクロールすることにより画面上下方向に移動して入力された申込者情報が全て閲覧可能になっている。図示は省略しているが、最下部には、「修正」ボタンと「送信」ボタンが表示されている。「修正」ボタンが申込者によりタップされると、ＣＰＵ１０ａが表示部１０ｆに、申込者情報入力画面を表示し、再度入力が可能な状態となる。また、「送信」ボタンが申込者によりタップされると、携帯型端末１０が、免許証表面画像、免許証裏面画像、印影画像、申込者情報を口座開設に必要な情報として受付サーバ２０に送信する。具体的には、ＣＰＵ１０ａが通信部１０ｇを介して、ＲＡＭ１０ｂに一時保存されている口座開設に必要な情報を送信する。
【００６３】
さらに、ＣＰＵ１０ａは、表示部１０ｆに、申込受付完了画面を表示させる（ステップＳ１３）。このときの、携帯型端末１０の様子を図１０（ｂ）に示す。図１０（ｂ）に示すように、申込受付完了画面には、申込受付完了した旨を示す情報や、問合わせ先等が表示される。受付サーバ２０では、通信部２０ｇが携帯型端末１０から送信された口座開設に必要な情報を受信し、ＣＰＵ２０ａが、受信した口座開設に必要な情報を記憶装置２０ｃ内に登録する。口座開設に必要な情報が受付サーバ２０に登録されることにより、口座の申込処理は完了する。
【００６４】
＜３．変形例＞
次に、変形例について説明する。上記の例では、運転免許証と印影の撮影を別々に行ったが、変形例では、運転免許証と印影の撮影を同時に行う。具体的には、図４に示したフローチャートにおいて、印影撮影および確認を行うステップＳ８、Ｓ９が省略され、ステップＳ４において、運転免許証と印影の撮影が同時に行われることになる。
【００６５】
変形例においては、図６（ａ）の撮影時注意画面において、「次へ」ボタンが申込者によりタップされると、ＣＰＵ１０ａがカメラ１０ｈを起動する。すると、表示部１０ｆの画面がカメラ１０ｈのレンズを通した撮影画面に切り替わるとともに、その撮影画面に、運転免許証の位置決めを行うための枠線、および印影の位置決めを行うための枠線が表示される。
【００６６】
このときの、携帯型端末１０の様子を図１１に示す。図１１に示すように、撮影画面に切り替える際、ＣＰＵ１０ａは横長形状の画面形式に切り替えて表示を行う。運転免許証と印影を並べて撮影する場合、横長の方が好適であるためである。図１１に示すように、撮影画面の画面最上部には、図６（ａ）に示した撮影時注意画面に戻るための「戻る」ボタンが表示される。そして、画面右部には、「撮影」ボタンが表示される。印影の位置決めを行うための枠線により囲まれる面積は、運転免許証の位置決めを行うための枠線により囲まれる面積よりも小さくなっている。これにより、特に説明がなくても、どちらが運転免許証でどちらが印影であるか一目瞭然となる。この状態で、申込者が、運転免許証、印影を枠線の位置に合わせて「撮影」ボタンをタップすると、カメラ１０ｈが撮影を行い、撮影画像を取得する。そして、ＣＰＵ１０ａは得られた画像のうち、図１１に示した枠線内に対応する部分を切り出して、それぞれ免許証表面画像、印影画像として取得する。具体的には、免許証表面画像、印影画像をＲＡＭ１０ｂに一時的に記憶する。
【００６７】
変形例のように、撮影画面に運転免許証の位置決めを行うための枠線、および印影の位置決めを行うための枠線の２つの枠線を表示し、撮影後切り出しを行うことにより、一度の撮影で運転免許証表面と印影の２つの画像を得ることができ、申込作業の簡略化に繋がる。変形例のように、免許証表面と印影を一度に撮影する場合には、例えば、白紙に押印して印影を形成し、その横に運転免許証を置くようにしても良いし、印影が形成された紙片の横に運転免許証を置くようにしても良い。
【００６８】
以上、本発明の好適な実施形態について説明したが、本発明は上記実施形態に限定されず、種々の変形が可能である。例えば、上記実施形態では、本人確認媒体（本人確認書類）として運転免許証を使用する場合を例にとって説明したが、健康保険証等の他の書類を用いるようにしてもよい。この場合、複数の書類を用いるようにしてもよい。例えば、運転免許証と健康保険証の双方を用いるようにしてもよい。
【００６９】
また、上記実施形態では、運転免許証の裏面の撮影を行うようにしたが、必要のない場合は省略するようにしてもよい。他の本人確認媒体を用いた場合であっても、裏面を省略することができる。
【００７０】
また、上記実施形態では、運転免許証以外の裏面の撮影を行うようにしたが、必要のない場合は省略するようにしてもよい。他の本人確認媒体を用いた場合であっても、裏面を省略することができる。
【００７１】
また、上記実施形態では、地域を特定する情報として郵便番号を用いるようにしたが、所定の地域を特定でき、金融機関の営業地域内であるか営業地域外であるかを区別するために用いることができるものであれば、郵便番号以外のものを用いてもよい。
【符号の説明】
【００７２】
１０・・・携帯型端末
１０ａ、２０ａ・・・ＣＰＵ
１０ｂ、２０ｂ・・・ＲＡＭ
１０ｃ、２０ｃ・・・記憶装置
１０ｄ、２０ｄ・・・指示入力部
１０ｅ、２０ｅ・・・データ入出力Ｉ／Ｆ
１０ｆ、２０ｆ・・・表示部
１０ｇ、２０ｇ・・・通信部
１０ｈ・・・カメラ
２０・・・受付サーバ
３０・・・ネットワーク
【図１】
2019133721.tif 000003
【図２】
2019133721.tif 000004
【図３】
2019133721.tif 000005
【図４】
2019133721.tif 000006
【図５】
2019133721.tif 000007
【図６】
2019133721.tif 000008
【図７】
2019133721.tif 000009
【図８】
2019133721.tif 000010
【図９】
2019133721.tif 000011
【図１０】
2019133721.tif 000012
【図１１】
2019133721.tif 000013
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
情報入力可能な携帯型端末と、前記携帯型端末とデータ送受信可能に接続された受付サーバを用いて、口座の申込を行う方法であって、
申込再開する旨の指示がなされた場合に、前記携帯型端末が、口座開設に必要な情報の一部又は全部として保存されている情報を読み出して、対応する画面を表示する段階と、
前記携帯型端末が、申込者の住所を含む地域を特定する情報を取得する段階と、
前記携帯型端末が、前記申込者の住所を含む地域を特定する情報を前記受付サーバに送信する段階と、
前記受付サーバが、前記携帯型端末から受信した前記地域を特定する情報を用いて、前記受付サーバが有する記憶手段を参照し、前記地域を特定する情報が、営業地域内であるか営業地域外であるかを判定する段階と、
前記受付サーバが、前記判定の結果に基づく情報を前記携帯型端末に送信する段階と、
前記携帯型端末が、途中保存する旨のボタンを表示し、当該ボタンに対する指示がなされた場合に、前記携帯型端末が、入力された情報を口座開設に必要な情報の一部又は全部として保存し、口座申込処理を中断する段階と、
を有し、
前記携帯型端末は、前記判定の結果に基づく情報として、営業地域外である旨の情報を受信した場合に、営業地域外である旨を提示し、営業地域内である旨の情報を受信した場合に、申込者の指示に基づいて、入力された口座開設に必要な情報を、前記受付サーバに送信することを特徴とする口座申込方法。
【請求項２】
前記受付サーバが有する記憶手段は、営業地域内の郵便番号を記憶しており、前記申込者の住所を含む地域を特定する情報として郵便番号を用い、前記営業地域内であるか営業地域外であるかを判定する段階は、営業地域内の郵便番号と前記申込者の住所を含む地域を特定する情報としての郵便番号が一致するか否かにより行うことを特徴とする請求項１に記載の口座申込方法。
【請求項３】
前記携帯型端末が、本人確認媒体用の枠線と、当該本人確認媒体用の枠線よりも、枠線により囲まれる面積が小さい印影用の枠線を表示する段階と、
前記携帯型端末が、前記本人確認媒体用の枠線、前記印影用の枠線が表示された状態で、前記本人確認媒体および前記印影を撮影する段階と、
前記携帯型端末が、前記撮影により取得された撮影画像のうち、前記本人確認媒体用の枠線、前記印影用の枠線にそれぞれ含まれる画像を切り出して本人確認媒体画像、印影画像として取得する段階と、を更に有し、
前記携帯型端末は、前記口座開設に必要な情報の一部として、前記本人確認媒体画像、前記印影画像を送信することを特徴とする請求項１または請求項２に記載の口座申込方法。
【請求項４】
情報入力可能な携帯型端末と、前記携帯型端末とデータ送受信可能に接続された受付サーバを用いて、口座の申込を行うシステムであって、
前記携帯型端末が、
申込再開する旨の指示がなされた場合に、口座開設に必要な情報の一部又は全部として保存されている情報を読み出して、対応する画面を表示する手段と、
申込者の住所を含む地域を特定する情報を取得する手段と、
前記申込者の住所を含む地域を特定する情報を前記受付サーバに送信する手段と、
前記受付サーバによる判定の結果に基づく情報として、営業地域外である旨の情報を受信した場合に、営業地域外である旨を提示し、営業地域内である旨の情報を受信した場合に、申込者の指示に基づいて、入力された口座開設に必要な情報を、前記受付サーバに送信する手段と、
途中保存する旨のボタンを表示し、当該ボタンに対する指示がなされた場合に、入力された情報を口座開設に必要な情報の一部又は全部として保存し、口座申込処理を中断する手段と、
を有し、
前記受付サーバが、
営業地域内を示す地域を特定する情報が記憶された記憶手段と、
前記携帯型端末から受信した前記地域を特定する情報を用いて、前記記憶手段を参照し、前記地域を特定する情報が、営業地域内であるか営業地域外であるかを判定する手段と、
前記判定の結果に基づく情報を前記携帯型端末に送信する手段と、
を有することを特徴とする口座申込システム。
【請求項５】
前記受付サーバが有する記憶手段は、営業地域内の郵便番号を記憶しており、前記申込者の住所を含む地域を特定する情報として郵便番号を用い、前記営業地域内であるか営業地域外であるかを判定する手段は、営業地域内の郵便番号と前記申込者の住所を含む地域を特定する情報としての郵便番号が一致するか否かにより行うことを特徴とする請求項４に記載の口座申込システム。
【請求項６】
前記携帯型端末が、
本人確認媒体用の枠線と、当該本人確認媒体用の枠線よりも、枠線により囲まれる面積が小さい印影用の枠線を表示する手段と、
前記本人確認媒体用の枠線、前記印影用の枠線が表示された状態で、前記本人確認媒体および前記印影を撮影する手段と、
前記撮影により取得された撮影画像のうち、前記本人確認媒体用の枠線、前記印影用の枠線にそれぞれ含まれる画像を切り出して本人確認媒体画像、印影画像として取得する手段と、
前記口座開設に必要な情報の一部として、前記本人確認媒体画像、前記印影画像を送信する手段と、
を更に有することを特徴とする請求項４または請求項５に記載の口座申込システム。